(57)【要約】      （修正有）【課題】ゴルフ・スイング時、簡単にダウンブローの打ち方を習得できるゴルフボール用保持治具を提供する。【解決手段】ゴルフボール５０が保持できる程度の凹部若しくは貫通孔を具備し、前記凹部若しくは前記貫通孔の面積が０．７８ｃｍ２以上７．０６５ｃｍ２以下である板状のゴルフボール用保持治具であり、人工芝などに当該ゴルフボール用保持治具上にゴルフボール５０を搭載し、スイングするだけでダウンブローの打ち方を習得できる。【選択図】図６
0003208531.tif 000002
【実用新案登録請求の範囲】
【請求項１】
ゴルフボールが保持するための凹部若しくは貫通孔を具備し、前記凹部若しくは前記貫通孔の面積が０．７８ｃｍ２以上７．０６５ｃｍ２以下である板状治具であり、前記板状治具の厚みが１ｍｍ以上２０ｍｍ以下であるゴルフボール用保持治具
【請求項２】
前記ゴルフボール用保持治具の下面には人工芝等に貼り付け可能な係止部を備えたことを特徴とする請求項１記載のゴルフボール用保持治具
【考案の詳細な説明】
【技術分野】
【０００１】本考案は、ゴルフ・スイングの際に軸振を防止するために用いられるゴルフボール保持具に関する。
【背景技術】
【０００２】ゴルフでのセットアップは構える体の形を決める動作であり足の幅、ひざ、前傾など基本的な構えからなる。特に、ゴルフ・スイングの回転軸は背骨であるため、前傾姿勢は、ひざを軽く曲げた後、尻を突き出し、骨盤から首の骨まで真っ直ぐに伸ばしたまま、骨盤から前傾する必要がある。骨盤を前傾させずに背骨を曲げる猫背では、上半身の捻りが小さくなり、飛距離が短くなるだけでなく軸振の原因にもなる。【０００３】前記セットアップが決まり、ゴルフ・スイングの一連の流れで、アドレスが決まりテイクバックからトップオブスイングとなり、次にダウンスイングにてクラブを振り下ろしクラブヘッドのフェースとボールが当たるインパクトに続き、フォロースルーからフィニッシュとなる。【０００４】前記動作において、インパクトの瞬間に傾斜した上体が起き上がらないようにボールを確りと見て頭を動かさないようにすること、打ったボールの行方を追うことで起こるヘッドアップを注意することでダフリやトップを防止できる。ボールを確りと見て頭を動かさないようにすることはパターによるゴルフボールの打ち方でも同じでありヘッド軌道を安定させるため上半身を確り固定して肩を振り子のように回してボールを打つことが必要である。【０００５】一方、ゴルフのスイング時の姿勢だけでなく、アイアンのスイングに関してはダウンブローによる打ち方を基本としているが素人の場合にはアイアンヘッドを掬い上げてゴルフボールを打つことが頻繁に見られる。この打ち方であるとダフリやトップになりやすい。
【特許文献】
【０００６】
【特許文献１】実開平６−８１５６６号
【特許文献２】特開平１０−１３７３７８号
【特許文献３】実開平５−６３５７５号
【特許文献４】実開平５−６３５７５号
【特許文献５】実録３２０４９７９号
【０００７】
【考案の概要】
【考案が解決しようとする課題】
【０００８】正しいセットアップ姿勢やスイング動作を習得するためにゴルフ教室や鏡を見ながらのスイング動作を確認し、調整しているが実際のプレーではミスショットが頻繁に起こっている。そのため、ヘッドアップによるミスショットを矯正するための手段が多数提案されている。一方、アイアンショットの基礎であるダウンブローのスイングに関してもスイング矯正する手段が提案されている。【０００９】特許文献１は、スイングのフォームを正しいフォームに矯正するゴルフトレーニング用具であって、一端にゴルフクラブのシャフトに固定するための固定手段を備え、他端に腕に巻装する巻装帯を備え、上記固定手段と巻装帯の間に介装され、セットアップ状態からバックスイングのトップ状態に至る過程で伸長状態から自由長に変化し、ダウンスイグのインパクト手前の腰近傍をグリップが通過する際に伸長状態を形成する弾性手段を備えているゴルフトレーニング用具が提案されている。【００１０】特許文献２は、人工芝の植設された基板と、この基板の長側辺部から立設された脚部と、この脚部の先端から基板の中央部に向けて水平方向に延設された取り付け軸部と、一端部に取り付け軸部の軸受部が形成され、他端部にゴルフボールが設けられるとともに、軸受部近傍にオモリが設けられてなるボール付アームとを具備し、取り付け軸部にボール付アームを取り付けた状態で、ゴルフボールが、回転軌道の下死点に到る手前の浮いた位置に設けられ、このゴルフボールの部分を打球することによって、ゴルフボールが下死点に向かってダウンブローの軌道で打ち出されるとともに、ボール付アームが、取り付け軸部に対して直角の軌道で、この取り付け軸回りを回転するようになされたことを特徴とするゴルフ練習機が提案されている。【００１１】特許文献３は、地面上に置かれ、ボール及びこのボールが進行する経路の周囲に位置する基礎部と、２本の棒体よりなり、この基礎部に両棒体の間隔を可変としてそれぞれ取付けられ、両棒体の間にパターのシャフトを入れてスイングの案内をするガイド部と、前記基礎部又はガイド部に設けられ、ガイド部の延びる方向に直交する多数の線を表し、パターのフェース面の向きを知らせるチェック部とを有するゴルフのパッティング練習器が提案されている。【００１２】特許文献４は、色つきレンズの中に更に透明レンズを設けたものであり、透明レンズの面積を小さくしたゴルフ練習用が提案されている。透明レンズでゴルフボールを見ることにより頭の振れを最小にするものであるがゴルフ・スイング時の姿勢、特に骨盤から首の骨まで真っ直ぐに伸ばしたまま、骨盤から前傾する姿勢を矯正するものでない。【００１３】特許文献５は、メガネレンズ部の何れか一方に複数のシェードが水平方向に取り付けられ、当該メガネを着用した際に斜め下方向のみを視認可能とする傾きを具備させたゴルフ用メガネを本考案者が提案したものでありゴルフ・スイング姿勢での正しい前傾を維持できるだけでなく、ヘッドアップも防止できる。【００１４】上記提案されているゴルフ用メガネや巻装帯を装着してゴルフ練習場にてスイング練習する場合に第三者の目を気にして集中して練習できない場合が多く、ゴルフの練習器に於いては尚更である。又、プロゴルファーがアイアンショットをする際にはダウンブローのスイングを行うが、素人自身だけではゴルフ練習場等で前記ダウンブローのスイングを修正することは非常に困難である。
【課題を解決するための手段】
【００１５】上記課題に鑑み、考案者は誠意工夫の結果、ゴルフボールが保持できる程度の凹部若しくは貫通孔を具備し、前記凹部若しくは前記貫通孔の面積が０．７８ｃｍ２以上７．０６５ｃｍ２以下であり、厚みが１ｍｍ以上２０ｍｍ以下である板状のゴルフボール用保持具を完成させた。【００１６】図１は、教本に出てくるダウンブローのスイング時のアイアンヘッドの軌道（ＤＢ）を示すが、芝（１００）上のゴルフボール（５０）にインパクトした後のアイアンヘッドの位置（ＩＡ）はゴルフボール（５０）にインパクトする前のアイアンヘッドの位置（ＩＡ）に比較して下側となっており、アイアンヘッドの最下点はゴルフボール（５０）の先になる。即ち、プロゴルファーがアイアンショットをした後にターフが取られ飛んでいることで理解できる。【００１７】図２は、素人のアイアンヘッドの軌跡（Ａｍａ）とプロゴルファーのアイアンヘッド（Ｐｒｏ）の軌跡を示す。素人はゴルフボール（５０）を掬い上げようとスイングするためアイアンの最下点は前記ゴルフボール（５０）の前か直下となりやすいためダフリやトップになりやすい。一方、ダウンブローに打つことで許容範囲が広くなりミスが少なくなる。【００１８】本考案であるゴルフボール用保持具は、アイアンショットによるダウンブローの正しいスイングを矯正するものでありアイアンヘッドの最下点がゴルフボールの先になることを認識させる必要があるためインパクト後のボールの飛び出しと同時にゴルフボール用保持具が舞い上がるとアイアンヘッドが当該ゴルフボール用保持具を掬い上げたことを示すようにしたものである。また、アイアンショットやパターショット後に本考案のゴルフボール用保持具を確りと見ることで頭が動かないためヘッドアップ防止にも役立つ利点がある。【００１９】前記アイアンヘッドが掬い上げになった際に本考案であるゴルフボール用保持具が舞い上がりやすいようにゴルフボールの直径規格と同じ約４．３ｍｍ若しくは以下とする。また、本考案のゴルフボール用保持具がゴルフボールを安定して搭載できるようにボール搭載部には凹部若しくは貫通孔を具備し、前記凹部若しくは前記貫通孔の面積が０．７８ｃｍ２以上７．０６５ｃｍ２以下としている。また、スイングによる風圧で本考案のゴルフボール用保持具が舞い上がりにくいように前記ゴルフボール用保持具の下面には面着テープを取り付けることが好ましい。
【図面の簡単な説明】
【００２０】
【図１】ダウンブローでのアイアンヘッドのスイング軌道を示す。
【図２】素人とプロゴルファーのスイング軌道の相違を示す。
【図３】ゴルフボール保持具の上面図を示す。
【図４】ゴルフボール保持具の断面図を示す。
【図５】下面に面着テープを貼ったゴルフボール保持具の断面図を示す。
【図６】図３のゴルフボール保持具にゴルフボールを載せた状態を示す。
【図７】本考案の他の実施形態であり、（ａ）上面図を示す。（ｂ）断面図を示す。
【図８】本考案の他の実施形態であり、（ａ）上面図を示す。（ｂ）断面図を示す。
【図９】本考案の他の実施形態であり、（ａ）上面図を示す。（ｂ）断面図を示す。
【考案を実施するための形態】
【００２１】以下、本考案に係る実施の形態を図面により説明する。
【実施例】
【００２２】本考案であるゴルフボール用保持治具（１０）の上面図を図３に示す。図４は、図３のゴルフボール用保持治具（１０）のＡ−Ｂ間の断面を示すが、幅（Ｗ）２ｃｍ、厚み（Ｔ）２ｍｍのゴムで形成され、中央部にはゴルフボールが保持できる程度のディンプル形状を具備している。図５は、図３記載のゴルフボール用保持治具（１０）の下面に面着テープ（２０）を取り付けた断面を示す。前記面着テープを貼り付けたゴルフボール保持具（ＳＴ）は、前記面着テープ（２０）を利用してゴルフ練習場に設置されている人工芝に貼り付ける。【００２３】前記ゴルフボール保持具（ＳＴ）の下面に取り付けた面着テープ（２０）にてゴルフ練習場に設置されている人工芝（１００）に貼り付けた状態であり、且つゴルフボール（５０）を前記ゴルフボール保持具（ＳＴ）のディンプル部に搭載させた状態を図６に示す。【００２４】本考案の他の実施形態を以下に示す。図７（ａ）は、一辺が２ｃｍ、厚みが２ｍｍの樹脂製の板の中央に深さ１ｍｍ、直径１ｃｍの凹形状を具備させたゴルフボール保持具（１０）の下面に面着テープ（２０）を取り付けた上面図であり、図７（ｂ）は図７（ａ）の断面図を示す。図８（ａ）は、外径２ｃｍ、内径１ｃｍ、厚みが３ｍｍのゴム製のリング（１０）の下面に面着テープ（２０）を取り付けた上面図であり、図８（ｂ）は図８（ａ）の断面図を示す。図９（ａ）は、外径２ｃｍ、厚みが３ｍｍのゴム製の円板（１０）の上部に長さ５ｍｍの人工芝（３０）が敷かれ下面には面着テープ（２０）が取り付けた上面図であり、図９（ｂ）は図９（ａ）の断面図を示す。【００２５】なお、本考案にかかるゴルフ用メガネの具体的な構成は、実施形態に記載したものに限られるものでなく、考案の要旨を逸脱しない範囲で変更可能である。
【考案の効果】
【００２６】本考案によれば、ダウンブロースイングへの矯正のみならずヘッドアップ防止にもなる。
【符号の説明】
【００２７】１０      ゴルフボール保持具
２０      面着テープ
３０      人工芝
５０      ゴルフボール
１００    芝
Ｔ        ゴルフボール保持具の厚み
Ｗ        ゴルフボール保持具の幅
ＳＴ      下面に面着テープを備えたゴルフボール保持具
Ｐｒｏ    プロゴルファーのスイング軌道
Ａｍａ    素人のスイング軌道
ＤＢ      ダウンブローのスイング軌道
ＩＡ      ゴルフボールにインパクトする前のアイアンヘッドの位置
ＩＢ      ゴルフボールにインパクトした後のアイアンヘッドの位置
【図１】
0003208531.tif 000003
【図２】
0003208531.tif 000004
【図３】
0003208531.tif 000005
【図４】
0003208531.tif 000006
【図５】
0003208531.tif 000007
【図６】
0003208531.tif 000008
【図７】
0003208531.tif 000009
【図８】
0003208531.tif 000010
【図９】
0003208531.tif 000011